(57)【要約】【課題】目に付きにくい所に取り付けられている情報発信源の探知を容易にし、迅速に情報を入手する。【解決手段】本発明は、特定の方向に受信感度の最大値を有する指向性アンテナを介して予備的に外部の情報発信源からの電波を受信し、電波の受信レベルを算出し、算出した受信レベルの値を一定時間間隔で記憶し、再度電波を受信し、受信した電波の受信レベルを算出し、記憶された受信レベルの最大値と再度算出された受信レベルとを比較して、算出した受信レベルのピークを検出し、受信レベルのピークを検出したことを音声または、画像によって出力する。【選択図】      図１
2004279210.tif 000002
【特許請求の範囲】
【請求項１】
非接触ＩＣタグを含む近距離通信用の情報発信源が多数存在する環境下における情報発信源を探知する情報発信源探知方法において、
特定の方向に受信感度の最大値を有する指向性アンテナを介して外部の情報発信源からの電波を受信する第１の受信ステップと、
前記第１の受信ステップで受信した前記電波の受信レベルを算出する第１のレベル算出ステップと、
前記第１のレベル算出ステップで算出した受信レベルの値を一定時間間隔で記憶手段に記憶する記憶ステップと、
前記指向性アンテナを介して外部の情報発信源から電波を受信する第２の受信ステップと、
前記第２の受信ステップで受信した電波の受信レベルを算出する第２のレベル算出ステップと、
前記記憶ステップで記憶された受信レベルの最大値と前記第２のレベル算出ステップで算出された受信レベルとを比較して、前記第２のレベル算出ステップで算出した受信レベルのピークを検出するピーク検出ステップと、
前記ピーク検出ステップで前記受信レベルのピークを検出したことを音声または、画像によって出力する操作出力ステップと、を行うことを特徴とする情報発信源探知方法。
【請求項２】
非接触ＩＣタグを含む近距離通信用の情報発信源が多数存在する環境下における情報発信源を探知する情報発信源探知方法において、
特定の方向に受信感度の最大値を有する指向性アンテナを介して外部の情報発信源からの電波を受信する第１の受信ステップと、
前記第１の受信ステップで受信した電波の受信レベルを算出する第１のレベル算出ステップと、
前記第１のレベル算出ステップで算出した受信レベルの値を一定時間間隔で記憶手段に記憶する記憶ステップと、
前記指向性アンテナを介して外部の情報発信源からの電波を受信する第２の受信ステップと、
前記第２の受信ステップで受信した電波の受信レベルを算出する第２のレベル算出ステップと、
前記記憶ステップで記憶された前記受信レベルの最大値と前記第２のレベル算出ステップで算出した受信レベルとを比較して、前記第２のレベル算出ステップで算出した受信レベルのピークを検出するピーク検出ステップと、
前記ピーク検出ステップで前記受信レベルのピークを検出したときに、前記指向性アンテナの感度が最大な方向近傍にある被写体を撮像する撮像ステップと、
前記撮像ステップで撮像された被写体の画像を表示する操作出力ステップとを行うことを特徴とする情報発信源探知方法。
【請求項３】
非接触ＩＣタグを含む近距離通信用の情報発信源が多数存在する環境下において情報発信源を探知する情報発信源探知装置であって、
特定の方向に受信感度の最大値を有する指向性アンテナと、
外部の情報発信源からの電波を前記指向性アンテナ経由で受信する受信手段と、
前記受信手段が受信した電波の受信レベルを算出するレベル算出手段と、
前記レベル算出手段が算出した受信レベルの値を一定時間間隔で記憶する記憶手段と、
前記記憶手段に予め記憶された受信レベルの最大値と前記レベル算出手段が算出した受信レベルとを比較して、前記レベル算出手段が算出した受信レベルのピークを検出するピーク検出手段と、
前記ピーク検出手段が前記受信レベルのピークを検出したことを音声または、画像によって出力する操作出力手段とを備えたことを特徴とする情報発信源探知装置。
【請求項４】
非接触ＩＣタグを含む近距離通信用の情報発信源が多数存在する環境下において情報発信源を探知する情報発信源探知装置であって、
特定の方向に受信感度の最大値を有する指向性アンテナと、
前記指向性アンテナの感度が最大となる方向近傍を撮像する画像取得手段と、外部の情報発信源からの電波を前記指向性アンテナ経由で受信する受信手段と、
前記受信手段で受信した前記電波の受信レベルを算出するレベル算出手段と、
前記レベル算出手段が算出した受信レベルの値を一定時間間隔で記憶する記憶手段と、
前記記憶手段に予め記憶された受信レベルの最大値と前記レベル算出手段が算出した受信レベルとを比較して、前記レベル算出手段が算出した受信レベルのピークを検出するピーク検出手段と、
前記ピーク検出手段が前記レベルのピークを検出したときに、前記画像取得手段を制御して撮像させる制御手段と、
前記制御手段の制御の下に前記画像取得手段によって撮像された画像を表示する操作出力手段とを備えたことを特徴とする情報発信源探知装置。
【発明の詳細な説明】
【０００１】
【発明の属する技術分野】
本発明は、情報発信源探知方法及び装置に係り、特に、非接触ＩＣタグを含む近距離通信用の情報発信源が多数存在する環境下において情報発信源を探知する情報発信源探知方法及び装置に関する。
【０００２】
【従来の技術】
近年、非接触ＩＣタグ等の近距離通信用の情報発信源が開発され、様々なところに取付けられようとしている（例えば、特許文献１参照）。ここで、非接触ＩＣタグは、小型のＩＣチップ等によって構成され、電磁波を介して自己の存在を外部の装置に通知すると共に、その非接触ＩＣタグが取り付けられたものや場所などに関連する情報を提供するための接続部の役割をも果たす。
【０００３】
具体的には、以下のようになっている。まず、携帯端末等の外部の通信端末は、非接触ＩＣタグを介してこの非接触ＩＣタグと通信するコンピュータに接続され、このコンピュータから種々の情報を格納したサーバに接続される。次に、このサーバから情報を要求するか否かの問い合わせを受け、外部の通信端末が情報を要求するという回答をしたときに要求対象の情報をこのサーバ経由で受け取ることができる。
【０００４】
一方、電波の発信源を探知する装置や電波の反射体を検知するレーダ等も知られている（例えば、特許文献１参照）。
【０００５】
【特許文献１】
特開２００２−９０４３８号公報
【０００６】
【発明が解決しようとする課題】
しかしながら、このような従来の発信源探知装置では、非接触ＩＣタグ等の情報発信源は、目に付きにくい所に取り付けられている場合も多く、発見に手間取る場合があるという問題がある。
【０００７】
また、従来の発信源探知装置では、大掛かりな構成となり、携帯するのに適さないという問題がある。
【０００８】
本発明は、上記の点に鑑みなされたもので、目に付きにくい所に取り付けられている情報発信源の探知を容易にし、情報の入手を迅速にするとが可能な情報発信源探知方法及び装置を提供することを目的とする。
【０００９】
【課題を解決するための手段】
図１は、本発明の原理を説明するための図である。
【００１０】
本発明は、非接触ＩＣタグを含む近距離通信用の情報発信源が多数存在する環境下における情報発信源を探知する情報発信源探知方法において、
特定の方向に受信感度の最大値を有する指向性アンテナを介して外部の情報発信源からの電波を受信する第１の受信ステップ（ステップ１）と、
第１の受信ステップで受信した電波の受信レベルを算出する第１のレベル算出ステップ（ステップ２）と、
第１のレベル算出ステップで算出した受信レベルの値を一定時間間隔で記憶手段に記憶する記憶ステップ（ステップ３）と、
指向性アンテナを介して外部の情報発信源から電波を受信する第２の受信ステップ（ステップ４）と、
第２の受信ステップで受信した電波の受信レベルを算出する第２のレベル算出ステップ（ステップ５）と、
記憶ステップで記憶された受信レベルの最大値と第２のレベル算出ステップで算出された受信レベルとを比較して、第２のレベル算出ステップで算出した受信レベルのピークを検出するピーク検出ステップ（ステップ６）と、
ピーク検出ステップで受信レベルのピークを検出したことを音声または、画像によって出力する操作出力ステップ（ステップ７）と、を行う。
【００１１】
本発明は、非接触ＩＣタグを含む近距離通信用の情報発信源が多数存在する環境下における情報発信源を探知する情報発信源探知方法において、
特定の方向に受信感度の最大値を有する指向性アンテナを介して外部の情報発信源からの電波を受信する第１の受信ステップと、
第１の受信ステップで受信した電波の受信レベルを算出する第１のレベル算出ステップと、
第１のレベル算出ステップで算出した受信レベルの値を一定時間間隔で記憶手段に記憶する記憶ステップと、
指向性アンテナを介して外部の情報発信源からの電波を受信する第２の受信ステップと、
第２の受信ステップで受信した電波の受信レベルを算出する第２のレベル算出ステップと、
記憶ステップで記憶された受信レベルの最大値と第２のレベル算出ステップで算出した受信レベルとを比較して、第２のレベル算出ステップで算出した受信レベルのピークを検出するピーク検出ステップと、
ピーク検出ステップで受信レベルのピークを検出したときに、指向性アンテナの感度が最大な方向近傍にある被写体を撮像する撮像ステップと、
撮像ステップで撮像された被写体の画像を表示する操作出力ステップとを行う。
【００１２】
図２は、本発明の原理構成図である。
【００１３】
本発明は、非接触ＩＣタグを含む近距離通信用の情報発信源が多数存在する環境下において情報発信源を探知する情報発信源探知装置であって、
特定の方向に受信感度の最大値を有する指向性アンテナ１２０と、
外部の情報発信源からの電波を指向性アンテナ経由で受信する受信手段１３０と、
受信手段１３０が受信した電波の受信レベルを算出するレベル算出手段１４０と、
レベル算出手段１４０が算出した受信レベルの値を一定時間間隔で記憶する記憶手段１５０と、
記憶手段１５０に予め記憶された受信レベルの最大値とレベル算出手段１４０が算出した受信レベルとを比較して、レベル算出手段１４０が算出した受信レベルのピークを検出するピーク検出手段１６０と、
ピーク検出手段１６０が受信レベルのピークを検出したことを音声または、画像によって出力する操作出力手段１１０とを備える。
【００１４】
本発明は、非接触ＩＣタグを含む近距離通信用の情報発信源が多数存在する環境下において情報発信源を探知する情報発信源探知装置であって、
特定の方向に受信感度の最大値を有する指向性アンテナと、
指向性アンテナの感度が最大となる方向近傍を撮像する画像取得手段と、
外部の情報発信源からの電波を指向性アンテナ経由で受信する受信手段と、
受信手段で受信した電波の受信レベルを算出するレベル算出手段と、
レベル算出手段が算出した受信レベルの値を一定時間間隔で記憶する記憶手段と、
記憶手段に予め記憶された受信レベルの最大値とレベル算出手段が算出した受信レベルとを比較して、レベル算出手段が算出した受信レベルのピークを検出するピーク検出手段と、
ピーク検出手段がレベルのピークを検出したときに、画像取得手段を制御して撮像させる制御手段と、
制御手段の制御の下に画像取得手段によって撮像された画像を表示する操作出力手段とを備える。
【００１５】
これにより、指向性アンテナを介して受信した情報発信源からの電波の受信レベルを予め記憶しておき、その受信レベルの情報に基づいて情報発信源の位置する方向を決定するため、目に付きにくい所に取付けられている情報発信源の探知を容易にし、情報の入手を迅速にすることが可能となる。
【００１６】
また、ピーク検出された方向の被写体を画像として表示するため、さらに、目に付きにくいところに取り付けられている情報発信源の探知を容易にし、情報の入手を迅速にすることが可能となる。
【００１７】
つまり、本発明では、機器が情報源に向いた時点でユーザに通知するために、まず、予備サーチを行う。予備サーチを行わないと、受信レベルが上がることで近づいている、レベルが下がることで離れていることしかわからないため、通知ができない。このために予備サーチにおいて取得した受信レベルを記憶しておき、本サーチにおける受信レベルと記憶されている受信レベルの最大レベルを比較して、最大値の近傍になったら通知することができる。
【００１８】
【発明の実施の形態】
以下、図面と共に本発明の実施の形態について説明する。
【００１９】
［第１の実施の形態］
図３は、本発明の第１の実施の形態における情報発信源探知装置の構成を示す。
【００２０】
同図に示す情報発信源探知装置１００は、情報はしん源探知装置１００の操作を行わせ、音声や映像等を出力する操作出力部１１０、特定の方向に受信感度が高い指向性アンテナ１２０、指向性アンテナ１２０を介して電波を受信する受信部１３０、受信部１３０が受信した電波のレベル（以下、単に「受信レベル」という）を算出するレベル算出部１４０、レベル算出部１４０が算出した受信レベルを記憶する記憶部１５０、記憶部１５０に予め記憶された受信レベルの最大値と受信部１３０によって新たに受信された電波のレベルとを比較し、新たに受信された電波のレベルのピークを検出するピーク検出部１６０、ピーク検出部１６０がピークを検出した際にピークを検出したことを示す信号を生成するピーク通知部１７０、及び上記の各構成部を制御する制御部１８０を含むように構成される。
【００２１】
ここで、操作出力部１１０は、情報発信源探知装置１００の測定モードの指定や処理の開始・終了、その他の入力を行うことができるようになっている。また、操作出力部１１０に入力された信号に応じた音声の出力や画像の表示等がなされるようにもなっている。上記の測定モードとしては、例えば、指向性アンテナ１２０の向きをユーザが走査させて情報発信源からの電波の受信レベルを予め測定する走査モード、走査モードの後のピーク検出モードを含むものとする。言うまでもなく、その他のモードを含むものでもよい。ピーク検出モードの詳細については、後述する。また、情報発信源としては、非接触ＩＣタグその他の近距離通信用の発信源とする。
【００２２】
指向性アンテナ１２０は、図４に示すように、特定の方向に受信感度のピークを持つアンテナである。同図において、指向性アンテナ１２０の受信感度が最大である方向は、情報発信源探知装置１００の右側を向く方向である。この場合、広告２１１と情報発信源２１２とを有するポスター２１０が情報発信源探知装置１００によって感度よく検知され、広告２２１と情報発信源２２２とを有するポスター２２０が低い感度で検知されることになり、ポスター２２０の情報発信源２２２は殆ど検知されない。なお、指向性アンテナ１２０として、八木アンテナ、ヘリカルアンテナ、ループアンテナ、その他のアンテナを用いてもよい。また、局面や平面の形状を有するアンテナを用いるものでもよい。
【００２３】
受信部１３０は、走査モード及びピーク検出モードで指向性アンテナ１２０を介して電波を受信し、増幅等の処理をするようになっている。
【００２４】
レベル算出部１４０は、走査モード及びピーク検出モードの両方のモードで受信部１３０が受信した電波のレベルを検出し、走査モードのときに、受信レベルの値を一定時間間隔で記憶部１５０に記憶する。電波の受信レレベルを検出する方法は公知であり、その説明は省略する。
【００２５】
ここで、ピーク検出モードは、走査モードの後に再度、情報発信源探知装置１００を走査して電波を受信して受信レベルを算出し、走査中の受信レベルと記憶部１５０に記憶された受信レベルの最大値とを比較し、再度の計測にかかる受信レベルのピークを決定するためのモードをいうものとする。
【００２６】
ピーク検出部１６０は、走査モード時に記憶部１５０に記憶された受信レベルの最大値を抽出し、この最大値と、走査モードの後のピーク検出モードで検出された受信レベルの値とを比較し、ピーク検出モードで算出された受信レベルが上記の受信レベルの最大値付近の所定範囲内であれば、ピーク検出モードでの電波の受信レベルのピークを検出したものとし、ピーク近傍であることを示す検出信号を生成し、ピーク通知部１７０に出力する。ここで、最大値の所定範囲内とは、例えば、最大値より１ｄＢ、１．５ｄＢ，２ｄＢ低いレベル以上としてもよい。
【００２７】
なお、受信レベルの計測値が雑音を含む場合を考慮して、ピーク検出部１６０は、記憶部１５０に記憶された受信レベルに対して、いわゆる移動平均処理等の急速に変化する成分を除去するフィルタ処理を行い、フィルタ処理後の最大値をピーク検出のための最大値とするのでもよい。同様に、最大値の決定は、フィルタ処理後の受信レベルの最大値から例えば、１ｄＢ，１．５ｄＢ，２ｄＢ，３ｄＢ等の所定値下がった２点間の中点における受信レベルを最大値としてもよい。
ピーク通知部１７０は、ピーク検出部１６０からの検出信号を受信して、現在、情報発信源探知装置１００（または、指向性アンテナ１２０）が向いている方向が受信のピークの方向であることを音声で出力し、または、画像で表示するための通知信号を生成する。ピーク通知部１７０が生成した通知信号は、操作出力部１１０に出力され、操作出力部１１０によって音声が出力され、または、画像が表示される。操作出力部１１０からの出力としては、所定のマークを点滅させる、または、レベルバーを用いて表示する、マークの点滅と音声出力の両方を行う、または、その他の方法でもよい。
【００２８】
以下、本発明の第１の実施の形態における情報発信源探知装置１００の動作を説明する。
【００２９】
図５は、本発明の第１の実施の形態における情報発信源探知装置の動作を示すフローチャートである。
【００３０】
ここで、ユーザは、情報発信源探知装置１００を操作して、所定方向範囲内の電波の受信レベル分布を検出するため、走査モードでの走査を行い、しかる後にピーク検出モードでの走査を行うものとする。
【００３１】
走査出力部１１０を介して走査開始の入力されたか否かが、制御部１８０によって判断され、走査開始の入力が検出されるまでこの処理を繰り返す（ステップ３０１）。
【００３２】
走査開始の入力が検出されたら、ユーザが情報発信源探知装置１００の向きを走査しているものとして、情報発信源から放出される電波の受信が指向性アンテナ１２０を介して受信部１３０によって開始される（ステップ３０２）。これは、情報発信源から放出される予め決められた信号を検出することによって行う。
次に、受信した電波の受信レベルがレベル算出部１４０によって算出され、（ステップ３０３）、算出された受信レベルが記憶部１５０に記憶される（ステップ３０４）。次に、走査終了の入力が走査出力部１１０を介してなされたかが制御部１８０によって判断される（ステップ３０５）。
【００３３】
ステップ３０５で走査終了の入力が検出されないと判断した場合、処理は、ステップ３０２に移行し、上記の処理を繰り返す。ステップ３０５で走査終了の入力が検出されたと判断した場合、処理は、ステップ３０６に移行し、受信レベルの最大値がピーク検出部１６０によって算出される（ステップ３０６）。
【００３４】
ステップ３０６で最大値が算出されたら、ピーク検出開始の入力がされたか否かを判断し、検出されるまでこの処理を繰り返す（ステップ３０７）。ステップ３０７でピーク検出開始の入力が検出されたら、ユーザがピーク検出のために情報発信源探知装置１００の向きを走査しているものとして、情報発信源から放出される電波の受信が開始される（ステップ３０８）。
【００３５】
次に、電波の受信レベルがレベル算出部１４０によって算出される（ステップ３０９）。ステップ３０９で算出された受信レベルがステップ３０６で算出された受信レベルの最大値と比較され、受信レベルのピークか否かの判断がピーク検出部１６０によってなされる（ステップ３１０）。具体的には、ピーク検出モードでの受信レベルが、走査モードでの受信レベルの最大値より所定ｄＢ（αｄＢ）低い値を超えるか否かで判断するのでもよい。αは、上記のピーク検出部１６０での設定例である。例えば、１ｄＢ，１．５ｄＢ，２ｄＢ等としてもよい。
【００３６】
ステップ３１０で現時点での受信レベルがピークと判断されたら、現時点での受信レベルがピークであること、または、ピークの近傍であることを、操作出力部１１０を介して音声、画像または、それらの組み合わせとして出力される（ステップ３１１）。
【００３７】
以上説明したように、本発明の第１の実施の形態に係る情報発信探知装置及びその方法は、指向性アンテナ１２０を介して受信した情報発信源からの電波の受信レベルを予め記憶しておき、その受信レベルの情報に基づいて情報発信源の位置する方向を決定するため、目に付きにくい所に取り付けられている情報発信源の探知を容易にし、情報の入手を迅速にすることができる。
【００３８】
［第２の実施の形態］
以下に、本発明の第２の実施の形態を説明する。
【００３９】
図６は、本発明の第２の実施の形態における情報発信源探知装置の構成を示す。同図は、前述の第１の実施の形態における情報発信源探知装置１００がピークを検出したことを通知する機能の代わりに、ピークを検出した方向の被写体を撮像し、撮像して得られた画像を表示するようにしたものである。
【００４０】
本発明の第２の実施の形態に係る情報発信源探知装置４００の構成部のうち、前述の第１の実施の形態に係る情報発信源探知装置１００の構成部と同一機能を有するものには、同一の符号を付し、その説明を省略する。
【００４１】
図６に示すように、情報発信源探知装置４００は、ピーク通知部１７０の代わりに画像取得部４７０を備える。画像取得部４７０は、小型カメラとしての撮像機能と、撮像して得られた画像を操作出力部１１０に表示できるようにデータ処理する機能とを有するものとする。これらの機能は、すでに公知の携帯電話等で実現されているものであり、その説明を省略する。ここで、撮像は、指向性アンテナ１２０の感度が最大となる方向近傍に位置する被写体を対象とするようになっている。具体的には、図４に示すような場合、ポスター２１０にまたは、ポスター２１０を含む周囲を被写体として撮像するようになっている。
【００４２】
制御部４８０は、情報発信源探知装置４００の各構成部を制御する。また、制御部４８０には、現在受信している方向からの電波の受信レベルが、ピークまたはピーク近傍であることを示す検出信号がピーク検出部１６０から入力される。制御部４８０は、この検出信号が入力されると、画像取得部４７０を制御して撮像を実行させ、撮像して得られた画像を操作出力部１１０に表示させる。
【００４３】
以下、本実施の形態における情報発信源探知装置４００の動作を説明する。
【００４４】
図７は、本発明の第２の実施の形態における情報発信源探知装置の動作のフローチャートである。
【００４５】
ここでユーザは、情報発信源探知装置４００を操作して、所定方向範囲内の電波の受信レベル分布を検出するため、走査モードでの走査を行い、しかる後に、ピーク検出モードでの走査を行うものとする。
【００４６】
なお、本実施の形態における情報発信源探知装置４００における処理のうち、第１の実施の形態にかかる情報発信源探知装置１００における処理と同一の処理については、同一のステップ番号を付与し、その説明を省略する。
【００４７】
図７におけるステップ３１０で受信レベルのピークか否かが判断され、ピークであると決定された場合、制御部４８０の制御の下、画像取得部４７０によってピークが検出された直後に撮像される（ステップ５１１）。ステップ５１１で撮像された画像が制御部４８０の制御の下、操作出力部１１０に表示される（ステップ５１２）。
【００４８】
図８は、本発明の第２の実施の形態における動作を説明するための図である。ポスターに設けられた情報発信源から電波が発信されると、情報発信源探知装置４００を備えた携帯電話が上記の操作によって情報発信源を探知し、探知した際の画像の携帯電話のディスプレイ上に表示し、ディスプレイに表示された情報発信源からアクセス情報等を取得し、アクセス情報に基づいて自宅の端末や該当端末を介してネットワーク上のサーバにアクセスするとポスターに記載されている情報よりも更に詳細な情報を得ることができる、等の利用が可能である。
【００４９】
上述したように、本実施の形態に係る情報発信源探知装置４００では、ピーク検出された方向の被写体を画像として表示するため、さらに、目に付きやすい所に取り付けられている情報発信源の探知を容易にし、情報の入手を迅速にすることが可能となる。
【００５０】
なお、上記の第１の実施の形態における図５、及び第２の実施の形態の図７にのフローチャートに示す動作をプログラムとして構築し、ネットワークを介して流通させる、または、情報発信源探知装置として利用される機器ののＣＰＵ等の制御手段やマイクロプロセッサで実行させることも可能である。
【００５１】
また、構築されたプログラムを情報発信源探知装置として利用される機器に接続されるメモリや可搬記憶媒体に格納しておき、本発明を実施する際にインストールすることも可能である。
【００５２】
なお、本発明は、上記の実施の形態に限定されることなく、特許請求の範囲内において種々変更・応用が可能である。
【００５３】
【発明の効果】
上述のように、本発明によれば、予備サーチにより電波の最大レベルを求めておき、本サーチにより最大レベルの近傍になったら通知することにより、目に付きにくい所に取り付けられている情報発信源の探知を容易にし、情報を入手を迅速することができる。
【図面の簡単な説明】
【図１】本発明の原理を説明するための図である。
【図２】本発明の原理構成図である。
【図３】本発明の第１の実施の形態における情報発信源探知装置の構成図である。
【図４】本発明の第１の実施の形態における指向性アンテナを説明するための図である。
【図５】本発明の第１の実施の形態における情報発信源探知装置の動作のフローチャートである。
【図６】本発明の第２の実施の形態における情報発信源探知装置の構成図である。
【図７】本発明の第２の実施の形態における情報発信源探知装置の動作のフローチャートである。
【図８】本発明の第２の実施の形態における動作を説明するための図である。
【符号の説明】
１００，４００  情報発信源探知装置
１１０  操作出力手段、操作出力部
１２０  指向性アンテナ
１３０  受信手段、受信部
１４０  レベル算出手段、レベル算出部
１５０  記憶手段、記憶部
１６０  ピーク検出手段、ピーク検出部
１７０  ピーク通知部
１８０  制御部
２１０，２２０  ポスター
２１１，２２１  広告
２１２，２２２  情報発信源
４７０  画像取得部
４８０  制御部
【図１】
2004279210.tif 000003
【図２】
2004279210.tif 000004
【図３】
2004279210.tif 000005
【図４】
2004279210.tif 000006
【図５】
2004279210.tif 000007
【図６】
2004279210.tif 000008
【図７】
2004279210.tif 000009
【図８】
2004279210.tif 000010